(57)【特許請求の範囲】
【請求項１】
液透過性のトップシートと、液不透過性のバックシートと、前記トップシートとバックシートの間に介在する液吸収保持性の吸収体と、前記トップシート及びバックシートの一端が固定されたベルトと、前記ベルトの一端に形成され、他端側のベルトと接続される接続部と、前記トップシートまたはバックシートの両側部に設けられ、長手方向に延設された伸縮可能な、臀部に密接するインナーシール部と、前記インナーシール部の前端部上面に設けられた前記ベルトに係止される第１の係止部と、前記トップシートの前端部であって前記第１の係止部の側方外側に、前記第１の係止部と別個に設けられた第２の係止部とを備え、
おむつ装着の際、前記伸縮可能なインナーシール部を引延し、臀部に密接させながら、前記第１の係止部を前記ベルトに係止し、更に前記第２の係止部を前記ベルトに係止することを特徴とする使い捨ておむつ。
【請求項２】
前記インナーシール部は、前記トップシートの上面から立設した立上部と、前記立上部の先端部から側方外側に設けられた接触部とを備え、
前記インナーシール部の第１の係止部は、前記接触部の前端部に設けられていることを特徴とする請求項１に記載された使い捨ておむつ。
【請求項３】
前記インナーシール部の立上部において、第１の係止部が設けられた前端部の高さは、ベルト側の後端部の高さ以上であることを特徴とする請求項２に記載された使い捨ておむつ。
【請求項４】
前記インナーシール部の前端部における立上部と、トップシートの上面との間に切り込みが形成されていることを特徴とする請求項２または請求項３に記載された使い捨ておむつ。
【発明の詳細な説明】
【技術分野】
【０００１】
本発明は使い捨ておむつに関し、特に、両側部からの排泄物の漏出をより防止した使い捨ておむつに関する。
【背景技術】
【０００２】
従来の使い捨ておむつ、おむつアウターにあっては、従来から排泄物の漏出防止が要求されており、この要求に対して色々な改良がなされており、その一例を特許文献１に示された使い捨ておむつを例にとって、図１７乃至図２１に基づいて説明する。尚、図１７は特許文献１に示された使い捨ておむつの平面図、図１８は図１７に示したＡ−Ａ断面図、図１９及び図２０は前記使い捨ておむつの装着方法を説明する図、図２１は使い捨ておむつの使用状態を示す断面図である。【０００３】
使い捨ておむつ１００は、液透過性のトップシート１０１と、液不透過性のバックシート１０２と、前記トップシート１０１とバックシート１０２の間に介在する液吸収保持性の吸収体１０３とを備えている。また、前記トップシート１０１の上面には、上面シート１０４が設けられている。
更に、前記使い捨ておむつ１００にあっては、トップシート１０１の長手方向の両側部にギャザー１０５ａ、１０５ｂを備えている。これらギャザー１０５ａ、１０５ｂは、おむつ側縁部からの排泄物の漏出を抑制するものである。具体的には、ギャザー１０５ａ、１０５ｂの各々は、トップシート１０１の両側部、前端及び後端に接合された固定端１０５a１、１０５a２、１０５a３、１０５ｂ１、１０５ｂ２、１０５ｂ３と、自由端１０５a４、１０５ｂ４とを有している。【０００４】
また、このおむつ１００にあっては、バックシート１０２の後端側に接続されたベルト１０６を備えている。このベルト１０６は、バックシート１０２の後端側からバックシート１０２の短手方向に延出されている。尚、ベルト１０６内には延出方向に沿って延びる弾性部材１０６aが配置されている。
また、ベルト１０６の一端１０６ｂには、面ファスナー等の接続部１０７が設けられており、この接続部１０７によって、前記ベルト１０６の一端１０６ｂが他端１０６ｃに着脱可能になされている。
また、このおむつ１００にあっては、ギャザー１０５ａ、１０５ｂの前端近傍の表面に係止部１０８が設けられている。【０００５】
このおむつ１００の使用方法を、図１９、図２０を参照しながら説明する。
まず、図１９に示されるように、おむつ１００を着用者の背側に配置し、ベルト１０６を着用者の腰回りに巻きつける。更に、接続部１０７を他端１０６ｃに接続することで、ベルト１０６を位置決めする
続いて、おむつ１００の前端側を、股間を通して着用者の腹側に引き上げ、係止部１０８をベルト１０６に係止させることで、着用者におむつ１００を装着する。【０００６】
このようなおむつ１００にあっては、図２１に示すように、トップシート１０１の長手方向の両側部にギャザー１０５ａ、１０５ｂが設けられているため、前記おむつ１００の装着時にあっては、前記ギャザー１０５ａ、１０５ｂは立ち上がり、その先端部１０５ａ４，１０５ｂ４は臀部Ｘに接する。
その結果、前記ギャザー１０５ａ、１０５ｂによって、おむつ両側部からの排泄物の漏出は抑制される。
【先行技術文献】
【特許文献】
【０００７】
【特許文献１】特開２００８−４３５２５号公報
【発明の概要】
【発明が解決しようとする課題】
【０００８】
このように従来の使い捨ておむつにあっては、前記トップシート１０１両端部に立体ギャザー１０５a、１０５ｂが設けられたおむつ１００全体を体に押し当てることにより隙間を塞ぎ、漏れを防止するものであった。
ところで、前記したように、おむつ１００（トップシート１０１）の前端側は前記係止部１０８をベルト１０６に係止させることによってベルト１０６に固定される。
一方、前記ギャザーの前後端（固定端１０５ａ２，１０５ａ３，１０５ｂ２，１０５ｂ３）は、おむつの動きに強い影響を受けるトップシート１０１に固定されているため、おむつが動くことによって（トップシート１０１が位置ずれを起こすことによって）、ギャザー１０５ａ，１０５ｂが動き、前記ギャザーと体との間に隙間が生じるという課題があった。
例えばおむつ１００に重量のある排泄物が排泄された場合にトップシート１０１及びバックシート１０２が重みで下方に下がり、このトップシート１０１に前後端部が固定された立体ギャザー１０５a、１０５ｂは、このバックシート１０２と共に下がる。
その結果、臀部Ｘと立体ギャザー１０５a、１０５ｂとの間に隙間が生じ、おむつの両端部からの排泄物の漏出を抑制できないという課題があった。【０００９】
また、おむつ両側部からの排泄物の漏出を抑制するため、おむつ１００を装着する際、おむつの前端側を、股間を通して腹側に大きな力で引き上げ、トップシート１０１に設けられた係止部１０８をベルト１０６に係止させることが考えられる。
しかし、ベルト１０６に係止される係止部１０８がトップシート１０１の表面に設けられているため、おむつの前端側を大きな力で引き上げ、係止部１０８をベルト１０６に係止させると、トップシート１０１に前後端が固定された前記ギャザー１０５ａ、１０５ｂは内側に傾倒した状態となり、おむつ両側部からの排泄物の漏出を抑制できないという課題があった。これら課題はおむつに限らず、おむつアウターについても同様である。【００１０】
これら課題を解決するために、本願発明者らは鋭意研究し、前記おむつの両側部に長手方向に伸縮可能なインナーシール部を形成し、前記インナーシール部を臀部に密接させることにより、おむつ両側部からの排泄物の漏出を抑制することを想到するに至った。
本発明は、上記技術的課題を解決するためになされたものであり、おむつ両側部からの排泄物の漏出をより抑制することができるインナーシール部を備える使い捨ておむつを提供することを目的とするものである。
【課題を解決するための手段】
【００１１】
本発明は上記目的を達成するためになされたものであり、本発明にかかるおむつは、液透過性のトップシートと、液不透過性のバックシートと、前記トップシートとバックシートの間に介在する液吸収保持性の吸収体と、前記トップシート及びバックシートの一端が固定されたベルトと、前記ベルトの一端に形成され、他端側のベルトと接続される接続部と、前記トップシートまたはバックシートの両側部に設けられ、長手方向に延設された伸縮可能な、臀部に密接するインナーシール部と、前記インナーシール部の前端部上面に設けられた前記ベルトに係止される第１の係止部と、前記トップシートの前端部であって前記第１の係止部の側方外側に、前記第１の係止部と別個に設けられた第２の係止部とを備え、おむつ装着の際、前記伸縮可能なインナーシール部を引延し、臀部に密接させながら、前記第１の係止部を前記ベルトに係止し、更に前記第２の係止部を前記ベルトに係止することを特徴としている。
【００１２】
このおむつにあっては、おむつ前端側を、股間を通して着用者の腹側に、インナーシール部を引延ばしながら（インナーシール部を臀部に密接させながら）前記係止部をベルトに係止させることによって、おむつを装着する。
そのため、このようなおむつにあっては、前記おむつ装着時、インナーシール部は臀部に密接し、おむつ両側部からの排泄物の漏出をより抑制できる。
また、ベルトは腰骨に固定されるため下方にずり落ちることが抑制され、更に引き延ばされた状態で臀部に密着しているインナーシールがベルトに係止されていることで、おむつ（トップシート、吸収体）にずれが生じても臀部とインナーシール部の間に隙間が生じ難く、おむつの両側部からの排泄物の漏出を抑制できる。【００１３】
特に、前記トップシートの前端部には、前記インナーシール部の第１の係止部とは別個に第２の係止部が設けられていることが望ましい。
また、前記インナーシール部は、前記トップシートの上面から立設した立上部と、前記立上部の先端部から側方外側に設けられた接触部とを備え、前記インナーシール部の第１の係止部は、前記接触部の前端部上面に設けられていることが望ましい。
【００１４】
更に、前記インナーシール部の立上部において、第１の係止部が設けられた前端部の高さは、ベルト側の後端部の高さ以上であることが好ましい。
インナーシールの後端部は強く身体に押し付けられる、又は仰臥位で体重がかかるため吸収体上面に倒れこむ可能性がある。そのため後端部のインナーシールを高くした場合、吸収体上面をインナーシールが覆い、吸収面積を減少させ吸収阻害を生じ漏れの原因となる可能性がある。
したがって、前記インナーシール部の後端部の立上部の高さは、低い方が望ましい。
一方、インナーシール前端部では尿が排泄されるゾーンであり、流れる尿の漏れ防止の為にインナーシールが防波堤となる空間が必要となる。そのために前端部のインナーシールは高いほうが望ましい。また尿を吸収したおむつは重くなるためにおむつ全体が身体から離れるように作用する傾向にある。そのような応力を緩和するためにもインナーシールを高くすることにより漏れの原因となる隙間を防止できる。このように、前記インナーシール部の前端部の立上部の高さは、高い方が望ましい。
したがって、前記インナーシール部の立上部の高さは、ベルト側の後端部よりも第１の係止部が設けられた前端部が高いことが望ましい。
【００１５】
また、前記インナーシール部の前端部における立上部と、トップシートの上面との間に切り込みが形成されていることが望ましい。
寝たきりの状態から身体を動かせる状態の人まで多様な状態でおむつは使用されている。その中で身体を動かせる状態でのおむつの使用はおむつにとって各種の応力が掛かる。おむつ本体の動きによってインナーシール部も影響を受け、漏れの原因となる隙間を生じ易くなる可能性がある。
前記したように、インナーシール前端部に切り込みを入れることでインナーシールに掛かる各種応力の影響を緩和することができる。但し、切り込みが形成される位置は尿が流れてくる範囲を避けていなければならないことは当然のことである。
【発明の効果】
【００２４】
本発明によれば、おむつ両側部からの排泄物の漏出をより抑制することができるインナーシール部を備える使い捨ておむつを得ることができる。
【図面の簡単な説明】
【００２５】
【図１】図１は本発明にかかる第１の実施形態を示す斜視図。
【図２】図２は図１に示すおむつの装着方法を説明するための図。
【図３】図３は図１に示すおむつの装着状態を示す断面図。
【図４】図４（ａ）は、インナーシール部の係止状態を説明するために概念図、図４（ｂ）は、従来の立体ギャザーの係止状態を説明するために概念図。
【図５】図５は第１の実施形態の変形例を示す図であって、インナーシール部の立上部の変形例を示す図。
【図６】図６は本発明にかかる第２の実施形態を示す平面図。
【図７】図７は図６に示すおむつの装着方法を説明するための図。
【図８】図８は図６に示すおむつの装着状態を示す断面図。
【図９】図９は本発明にかかる第３の実施形態を示す平面図。
【図１０】図１０は図９に示すI-I矢視図。
【図１１】図１１は図９に示すおむつの装着状態を示す断面図。
【図１２】図１２は本発明にかかる第４の実施形態を示す平面図。
【図１３】図１３は図１２に示すII-II矢視図。
【図１４】図１４は図１２に示すおむつの装着状態を示す断面図。
【図１５】図１５は本発明にかかる第５の実施形態を示す平面図。
【図１６】図１６は本発明にかかる第１〜５の実施形態の変形例を示す図。
【図１７】図１７は特許文献１に示された使い捨ておむつの平面図。
【図１８】図１８は図１７に示したＡ−Ａ断面図。
【図１９】図１９は図１７に示した使い捨ておむつの装着方法を説明する図。
【図２０】図２０は図１７に示した使い捨ておむつの装着方法を説明する図。
【図２１】図２１は図１７に示した使い捨ておむつの使用状態を示す断面図。
【符号の説明】
【００２６】
１０  ，２０，３０  使い捨ておむつ  
１２，２１，３１    トップシート
１３，２２，３２    バックシート
４，２３，３３    吸収体
５，１１,２５,３４,４２    インナーシール部
６，１２,２６,３５,４３    インナーシール部
５ａ，６ａ        立上部
５ｂ，６ｂ        接触部
５ｃ，６ｃ        係止部
７      ベルト
８      接続部
９      係止部
１３    係止部
２４    ギャザー
２５    ギャザー
４０    おむつアウター
４１    シート
４６    係止部
【発明を実施するための形態】
【００２７】
本発明にかかる使い捨ておむつの第１の実施形態について、図１乃至図４に基づいて説明する。尚、図１は本発明にかかる第１の実施形態を示す斜視図、図２は図１に示すおむつの装着方法を説明するための図、図３は図１に示すおむつの装着状態を示す断面図、図４はインナーシール部の係止状態を説明するために概念図である。
図１に示すように、使い捨ておむつ１は、液透過性のトップシート２と、液不透過性のバックシート３と、前記トップシート２とバックシート３の間に介在する液吸収保持性の吸収体４とを備えている。
【００２８】
このトップシート２は、液状の排泄物を吸収体４に透過させると共に、固形の排泄物を保持させるためのものである。
このようなトップシート２は、従来から用いられている、親水性の不織布又は織布、多孔性プラスチックフィルム等のほか、開孔を有する疎水性の不織布、開孔を有するフィルム等を用いることができる。
【００２９】
また、バックシート３は、吸収体４に吸収された排泄物が透過して漏出するのを抑制するものである。
このようなバックシート３としては、従来から用いられている、疎水性の不織布、液不透過性フィルム、親水性不織布及び液不透過性フィルムが張り合わされたシート、撥水処理された不織布や、微細孔を有する透湿性プラスチックフィルム、またはこれらの積層体を用いることができる。このうち、透湿性素材によれば、装着時のムレが低減されて、着用者に与える不快感を軽減できるため、好ましい。
【００３０】
更に、吸収体４は、排泄物を吸収保持するものである。このような吸収体４としては、従来から用いられている、綿状パルプと高吸水性ポリマーを併用したもの、セルロース繊維、熱可塑性樹脂、高吸水性ポリマー、熱融着性繊維等が混合されて熱処理されたものを用いることができる。
【００３１】
更に、使い捨ておむつ１は、トップシート２の両側部上面に、長手方向に延設されたインナーシール部５，６を備えている。
このインナーシール部５，６は、トップシート２の上面から立設した立上部５ａ，６ａと、前記立上部５ａ，６ａの先端部から側方外側に設けられ、臀部Ｘに密接する接触部５ｂ，６ｂが設けられている。
【００３２】
このインナーシール部５，６は、長手方向に伸縮可能に構成され、装着状態で前記インナーシール部５，６が臀部Ｘに密接することにより、おむつ両側部からの排泄物の漏出を抑制するものである。
このインナーシール部５，６の材質として疎水性または撥水性であり素材自体が伸縮性を有するものが望ましい。例えばスチレン系、ウレタン系、エステル系、オレフィン系等のエラストマー樹脂を用いてメルトブローの方法で製造された伸縮不織布や液不透過性のウレタンフォーム、ウレタンフィルム、オレフィン系エラストマーやゴム・ラテックス系エラストマー等が使用される。
【００３３】
また、前記インナーシール部は伸縮性を有しない疎水性または撥水性の不織布に伸縮不織布やウレタン素材等の伸縮部材を接着して伸縮可能になしたものであってもよい。
更には伸縮性を有しない疎水性または撥水性の不織布を波状加工し伸縮可能になしたものであってもよい。波状加工とは例えば不織布に凸凹を施し蛇腹状にして伸縮機能をもたせる加工である。
尚、透湿性素材を用いた場合には、装着時のムレが低減されて、着用者に与える不快感を軽減できるため、好ましい。
【００３４】
前記トップシート２及びバックシート３の後端部はベルト７に接合されている。前記インナーシール部５，６は前記トップシート２及びバックシート３の前端部から前記ベルト７の上端部まで形成されている。
また、前記インナーシール部５，６の前端部上面には、面ファスナー等の係止部５ｃ、６ｃが設けられている。この係止部５ｃ、６ｃはベルト７に係止される。
【００３５】
また、前記トップシート２に前端部上面には、面ファスナー等の係止部９、９が設けられている。この係止部９、９はベルト７に係止される。
従来はトップシートに前端部上面にのみ係止部が設けられ、その係止部をベルトに係止することにより、おむつを装着していたが、本発明にあっては、トップシートの係止部９，９のほか、インナーシール部５，６の係止部５ｃ、６ｃを前記トップシートの係止部９，９と別に設けている点に特徴がある。
【００３６】
また、ベルト７には、糸ゴム等の伸縮部材７ｃが形成され、伸縮自在に形成される。尚、ベルト全体を伸縮可能に形成すると、ベルト７が腰からずり落ちる原因となるため、ベルトの背中側及び腰骨側の一部に伸縮部材７ｃを設け伸縮可能に形成するのが好ましい。また、ベルト７に糸ゴム等の伸縮部材７ｃを形成しなくてもよい。
また、ベルト７の一端７aには、面ファスナー等の接続部８が設けられており、この接続部８を介して一端７aが他端7bに着脱可能に接続される。
このように接続部８が他端7bに係止、固定されるため、このベルト７は腰骨に固定され、下方にずり落ちることが抑制される。
【００３７】
ここで、図４に基づいて、インナーシール部５，６が下方に位置ずれし難い理由について説明する。
図４（ａ）に示すように、この実施形態にあってはトップシート側の係止部９、９と、インナーシール部５，６の係止部５ｃ、６ｃとを別々に設け、それぞれをベルト７に係止めるように構成されている。
そのため、トップシート５，６側に位置ずれの要因（例えば、吸収体４が多量の水分を含んだ場合、おむつを装着する者が寝返りをうつ場合等）が生じても、インナーシール部５，６の係止部５ｃ、６ｃはベルト７に直接係止されているため、その要因の影響を受けす、その結果、下方に位置ずれし難い。
【００３８】
一方、従来におむつにあっては、図４（ｂ）に示すように、ギャザー１０５ａ，１０５ｂの係止部（１０５ａ２，１０５ｂ２）はトップシート上面に係止され、該トップシートの係止部１０８が、ベルトに固定される。
したがって、トップシート５，６側に位置ずれの要因が生じた場合、従来のギャザー１０５ａ，１０５ｂは下方に位置ずれし易く、ギャザー１０５ａ，１０５ｂと臀部と間に隙間が生じ、おむつの両側部からの排泄物が漏出しやすかった。
【００３９】
次に、このおむつ１の使用方法を、図２、図３を参照しながら説明する。まず、図２に示されるように、おむつ１を着用者の背側に配置し、ベルト７を着用者の腰回りに巻きつける。そして、接続部８を他端７ｂに接続することで、ベルト７を位置決めする。
続いて、おむつ１の前端側を、股間を通して着用者の腹側に、インナーシール部５，６を引延ばしながら（インナーシール部の接触部５ｂ、６ｂを臀部Ｘに密接させながら）前記係止部５ｃ，６ｃをベルト７に係止させる。
続いて、トップシート２側の係止部９，９を、トップシート２を引延ばしながらベルト７に係止させる。これにより、おむつ１を装着する。
【００４０】
このようなおむつ１にあっては、図３に示すように、トップシート２（バックシート３）の両側部の長手方向にインナーシール部５，６が設けられているため、前記おむつ装着時、インナーシール部５，６の接触部５ｂ、６ｂは臀部Ｘに密接する。その結果、おむつ両側部からの排泄物の漏出をより抑制できる。
しかも、前記したように、インナーシール部５，６の係止部５ｃ、６ｃがベルト７に直接係止されているため、下方に位置ずれし難く、おむつ両側部からの排泄物の漏出を抑制できる。
【００４１】
次に、この実施形態の変形例を図５に示す。
前記インナーシール部の立上部５ａ、６ａは、図５（ａ）に示すように、前端部からベルト側の後端部まで一定の高さで形成されているが、図５（ｂ）に示すように、後端部側の高さを低く形成するのが好ましい。
このように、インナーシール部の立上部５ａ、６ａ後端部側の高さを低くすることで、身体背面側の隙間を小さくすることができる。
即ち、このインナーシール部５，６の後端部は強く身体に押し付けられる、又は仰臥位で体重がかかるため吸収体４上面に倒れこむ可能性がある。そのため後端部のインナーシール部５，６の立上部を高くした場合、吸収体４の上面をインナーシール部５，６が覆い、吸収面積を減少させ吸収阻害を生じ漏れの原因となる可能性がある。したがって、前記インナーシール部５，６の後端部の立上部５ａ，６ａの高さは、低い方が望ましい。
一方、インナーシール部５，６の前端部では尿が排泄されるゾーンであり、流れる尿の漏れ防止の為にインナーシール部が防波堤となる空間が必要となる。そのために前端部のインナーシールの立上部５ａ，６ａは高いほうが望ましい。
また尿を吸収したおむつは重くなるためにおむつ全体が身体から離れるように作用する傾向にある。そのような応力を緩和するためにもインナーシール部５，６の立上部５ａ，６ａを高くすることにより漏れの原因となる隙間を防止できる。このように、前記インナーシール部５，６の前端部の立上部５ａ，６ａの高さは、高い方が望ましい。
したがって、前記インナーシール部６，６の立上部５ａ，６ａの高さは、ベルト７側の後端部よりも係止部５ｃ，６ｃが設けられた前端部が後端部以上の高さであることが好ましい。
【００４２】
前記インナーシール部６，６の立上部５ａ，６ａの高さは、具体的には、３０ｍｍ以上７０ｍｍ以下の範囲に設定されるのが好ましい。また、前記立上部５ａ，６ａの先端部から側方外側に設けられた接触部５ｂ，６ｂの幅は５ｍｍ以上４０ｍｍ以下が好ましい。
【００４３】
また、図５（ｃ）に示すように、前記インナーシール部の立上部５ａ、６ａの前端部に切り込み５ｄ、６ｄを入れるのが好ましい。
このように、切り込み５ｄ、６ｄを入れることにより、係止部５ｃ、６ｃをトップシート２（バックシート３）の規制を受けることなく、ベルト７に係止することができる。即ち、係止部５ｃ、６ｃを、容易にベルト７に係止することができる。
具体的に説明すると、寝たきりの状態から身体を動かせる状態の人まで多様な状態でおむつは使用されている。その中で身体を動かせる状態でのおむつの使用はおむつにとって各種の応力が掛かる。おむつ本体の動きによってインナーシール部も影響を受け、漏れの原因となる隙間を生じ易くなる可能性がある。
前記したように、インナーシール前端部に切り込みを入れることでインナーシールに掛かる各種応力の影響を緩和することができる。但し、切り込みが形成される位置は尿が流れてくる範囲を避けていなければならないことは当然のことである。
【００４４】
本発明にかかる使い捨ておむつの第２の実施形態について、図６乃至図８に基づいて説明する。尚、図６は本発明にかかる第１の実施形態を示す平面図、図７は図６に示すおむつの装着方法を説明するための図、図８は図６に示すおむつの装着状態を示す断面図である。この実施形態において、前記第１の実施形態と同一、あるいは同様な部材は、同一の符号を付し、その詳細な説明は省略する。
【００４５】
この使い捨ておむつ１０は、トップシート２の両側部の長手方向に延設されたインナーシール部１１，１２を備えている。
このインナーシール部１１，１２は、長手方向に伸縮可能に構成され、装着状態で前記インナーシール部１１，１２が臀部Ｘに密接することにより、おむつ両側部からの排泄物の漏出を抑制するものである。
【００４６】
このインナーシール部１１，１２の材質として疎水性または撥水性であり素材自体が伸縮性を有するものが望ましい。例えばスチレン系、ウレタン系、エステル系、オレフィン系等のエラストマー樹脂を用いてメルトブロー法で製造された伸縮不織布や液不透過性のウレタンフォーム、ウレタンフィルム、オレフィン系エラストマーやゴム・ラテックス系エラストマー等が使用される。
また、前記インナーシール部は伸縮性を有しない疎水性または撥水性の不織布に伸縮不織布やウレタン素材等の伸縮部材を接着して伸縮可能になしたものであってもよい。
さらには伸縮性を有しない疎水性または撥水性の不織布を波状加工し伸縮可能になしたものであってもよい。波状加工とは例えば不織布に凸凹を施し蛇腹状にして伸縮機能をもたせる加工である。
尚、透湿性素材を用いた場合には、装着時のムレが低減されて、着用者に与える不快感を軽減できるため、好ましい。
【００４７】
前記インナーシール部１１，１２の側部は、バックシート３の側部に接合され、後端部はベルト７に接合されている。即ち、バックシート３の両側部にインナーシール部１１，１２が接合される。尚、前記ベルト７は、バックシート３の後端側にも接続されている。
【００４８】
また、前記インナーシール部１１，１２の前端部上面には、面ファスナー等の係止部１３、１３が設けられている。この係止部１３、１３はベルト７に係止される。
また、ベルト７の一端７aには、面ファスナー等の接続部８が設けられており、この接続部８を介して一端７aが他端7bに着脱可能に接続される。
このように接続部８が他端7bに係止、固定されるため、このベルト７は腰骨に固定され、下方にずれ落ち難い。また、インナーシール部１１，１２は、このベルト７に係止部１３，１３によって係止されるため、下方に位置ずれを起こすことが抑制される。
【００４９】
このおむつ１０の使用方法を、図７、図８を参照しながら説明する。まず、図７に示されるように、おむつ１を着用者の背側に配置し、ベルト７を着用者の腰回りに巻きつける。そして、接続部８を他端７ｂに接続することで、ベルト７を位置決めする。
続いて、おむつ１の前端側を、股間を通して着用者の腹側に、インナーシール部１１，１２を引延ばしながら（インナーシール部を臀部に密接させながら）前記係止部１３，１３をベルト７に係止させる。これにより、おむつ１を装着する。
【００５０】
このようなおむつ１０にあっては、図８に示すように、トップシート２（バックシート３）の両側部の長手方向にインナーシール部１１，１２が設けられているため、前記おむつ装着時、インナーシール部１１，１２は臀部Ｘに密接する。その結果、おむつ両側部からの排泄物の漏出をより抑制できる。
尚、この実施形態において、インナーシール部１１，１２の側部がバックシート３の側部に接合されている場合について説明したが、トップシート２の側部に接合されていても良い。
【００５１】
次に第３の実施形態について、図９乃至図１１に基づいて説明する。尚、図９は本発明にかかる第３の実施形態を示す平面図、図１０は図９に示すI-I矢視図、図１１は図９に示すおむつの装着状態を示す断面図である。またこの実施形態において、前記第１、２の実施形態と同一、あるいは同様な部材は、同一の符号を付し、その詳細な説明は省略する。
【００５２】
この実施形態にあっては、使い捨ておむつ２０のトップシート２１の両側部の長手方向にギャザー２４、２５が形成され、そのギャザー２４、２５の側部、長手方向にインナーシール部２６，２７が設けられている点に特徴がある。また、前記インナーシール部２６，２７の先端の裏側（トップシート２１側）に、面ファスナー等の係止部１３、１３が設けられている点に特徴がある。
【００５３】
即ち、この使い捨ておむつ２０は、液透過性のトップシート２１と、液不透過性のバックシート２２と、前記トップシート２１とバックシート２２の間に介在する液吸収保持性の吸収体２３とを備え、トップシート２１の両側部の長手方向に接合されたギャザー２４、２５を備えている。
このギャザー２４、２５には糸ゴム２４a、２５aが収容され、長手方向に伸縮自在に形成されている。
【００５４】
このギャザー２４、２５の側部、長手方向に、伸縮可能な素材で形成されたインナーシール部２６，２７が接合され、前記ギャザー２４、２５と一体に設けられている。尚、インナーシール部２６，２７の先端部２６a、２７a及び前端部２６ｂ、２７ｂは自由端とされている。
前記ギャザー２４、２５は、装着時にインナーシール部２６，２７を立上げ、インナーシール部２６，２７を臀部Ｘに密接させる働きをなす。前記ギャザー２４、２５及びインナーシール部２６，２７によって、おむつ両側部からの排泄物の漏出が防止される。
【００５５】
特に、インナーシール部２６，２７の先端のトップシート２１側（トップシート２１と相対向する面側）に係止部１３、１３が設けられているため、係止部１３，１３をベルト７に係止させる際、前記ギャザー２４、２５及びインナーシール部２６，２７を、図１０に示す矢印のように外方に開くように作用する。
これによりギャザー２４、２５及びインナーシール部２６，２７は確実に立ち上がり、おむつ両側部からの排泄物の漏出を防止することができる。
また、係止部１３、１３が伸縮可能なインナーシール部２６，２７に設けられているため、ベルト７に係止部１３、１３が係止されることで臀部Ｘとの間に隙間が生じ難く、おむつ両側部からの排泄物の漏出をより抑制することができる。
【００５６】
このおむつ２０の使用方法について説明する。
まず、第１の実施形態と同様に、おむつ２０を着用者の背側に配置し、ベルト７を着用者の腰回りに巻きつける。更に、接続部８を他端７ｂに接続することで、ベルト７を位置決めする。
続いて、おむつ２０の前端側を、股間を通して着用者の腹側に、インナーシール部５，６を引延ばしながら、係止部９，９をベルト７に係止させることで、おむつ２０が着用者に装着されることになる。
【００５７】
このようなおむつ２０にあっては、図１１に示すように、トップシート２１（バックシート２２）の両側部の長手方向に、ギャザー２４，２５を介してインナーシール部２６，２７が設けられているため、前記おむつ装着時、インナーシール部２６，２７は臀部Ｘに密接する。その結果、おむつ両側部からの排泄物の漏出をより抑制できる。
【００５８】
特に、ベルト７に係止される係止部１３、１３がインナーシール部２６，２７の先端のトップシート２１側に設けられているため、おむつの前端側を大きな力で引き上げ、係止部１３，１３をベルト７に係止させても、ギャザー２４、２５及びインナーシール部２６，２７は内側に傾倒した状態となることなく、確実に立ち上がり、おむつ両側部からの排泄物の漏出を防止することができる。
【００５９】
次に第４の実施形態について、図１２乃至図１４に基づいて説明する。尚、図１２は本発明にかかる第４の実施形態を示す平面図、図１３は図１２に示すII-II矢視図、図１４は図１２に示すおむつの装着状態を示す断面図である。
この実施形態にあっては、使い捨ておむつ３０のトップシート３１の両側部の長手方向にインナーシール部３４，３５が設けられ、前記インナーシール部３４，３５の内部に糸ゴム３４a、３５aを収容した点に特徴がある。
【００６０】
即ち、この使い捨ておむつ３０は、液透過性のトップシート３１と、液不透過性のバックシート３２と、前記トップシート３１とバックシート３２の間に介在する液吸収保持性の吸収体３３とを備えている。
また、使い捨ておむつ３０は、トップシート３１の両側部の長手方向に延設されたインナーシール部３４，３５を備えている。
【００６１】
このインナーシール部３４，３５は、長手方向に伸縮可能に構成され、装着状態で、前記インナーシール部３４，３５を臀部Ｘに密接させることにより、おむつ両側部からの排泄物の漏出を抑制するものである。
前記インナーシール部３４，３５は、その内部に糸ゴム３４a、３５aを収容し、伸縮可能に構成されている。
【００６２】
また、前記した実施形態と同様に、ベルト７の一端には、面ファスナー等の接続部８が設けられており、この接続部８を介して一端７aが他端7bに着脱可能に接続される。
また、おむつ３０は、前記インナーシール部３４，３５の前端部に設けられた係止部１３、１３を更に備える。前記係止部１３、１３は、インナーシール部３４，３５のトップシート３１側（トップシート３１に相対向する面側）に設けられている。
【００６３】
このおむつ３０の使用方法について説明する。
まず、前記した実施形態と同様に、おむつ３０を着用者の背側に配置し、ベルト７を着用者の腰回りに巻きつける。更に、接続部８を他端７ｂに接続することで、ベルト７を位置決めする。
続いて、おむつ３０の前端側を、股間を通して着用者の腹側に、インナーシール部３４，３５を引延ばしながら、係止部１３，１３をベルト７に係止させることで、おむつ３０が着用者に装着される。
【００６４】
このようなおむつ３０にあっては、図１４に示すように、トップシート３１（バックシート３２）の両側部の長手方向に、インナーシール部３４，３５が設けられているため、前記おむつ装着時、インナーシール部３４，３５は臀部Ｘに密接する。その結果、おむつ両側部からの排泄物の漏出をより抑制できる。
【００６５】
本発明にかかる第５の実施形態について、図１５に基づいて説明する。尚、この実施形態にあってはおむつアウターを例にとって説明する。図１５は本発明にかかる第５の実施形態を示す平面図である。
図１５に示すように、おむつアウター４０は、液不透過性のシート４１と、シート４１の両側部の長手方向に延設されたインナーシール部４２，４３を備えている
【００６６】
前記シート４１は、おむつを覆うものであり、排泄物が透過して漏出するのを抑制するものである。
このようなシート４１としては、従来から用いられている液不透過性フィルム、親水性不織布及び液不透過性フィルムが張り合わされたシート、微細孔を有する透湿性プラスチックフィルム、またはこれらの積層体を用いることができる。このうち、透湿性素材によれば、装着時のムレが低減されて、着用者に与える不快感を軽減できるため、好ましい。
【００６７】
更に、このインナーシール部４２，４３は、長手方向に伸縮可能に構成され、装着状態で前記インナーシール部４２，４３を臀部Ｘに密接させることにより、おむつ両側部からの排泄物の漏出を抑制するものである。
このインナーシール部４２，４３の材質として、疎水性または撥水性であり素材自体が伸縮性を有するものが望ましい。例えばスチレン系、ウレタン系、エステル系、オレフィン系等のエラストマー樹脂を用いてメルトブロー法で製造された伸縮不織布や液不透過性のウレタンフォーム、ウレタンフィルム、オレフィン系エラストマーやゴム・ラテックス系エラストマー等が使用される。
また、前記インナーシール部は伸縮性を有しない疎水性または撥水性の不織布に伸縮不織布やウレタン素材等の伸縮部材を接着して伸縮可能になしたものであってもよい。
さらには伸縮性を有しない疎水性または撥水性の不織布を波状に加工し伸縮可能になしたものであってもよい。波状加工とは例えば不織布に凸凹を施し蛇腹状にして伸縮機能をもたせる加工である。
【００６８】
前記インナーシール部４２，４３の側部は、シート４１の側部に接合され、後端部はベルト４４に接合されている。即ち、シート４１の両側部にインナーシール部４２，４３が接合される。尚、前記ベルト４４は、シート４１の後端側にも接続されている。
【００６９】
また、前記インナーシール部４２，４３の前端部上面には、面ファスナー等の係止部４６、４６が設けられている。インナーシール部４２，４３は、このベルト４４に前記係止部４６，４６によって係止されるため、下方に位置ずれを起こすことが抑制される。
【００７０】
また、ベルト４４の一端には、面ファスナー等の接続部４５が設けられており、この接続部４５を介して一端４４aが他端４４bに着脱可能に接続される。このベルト４４は腰骨に固定され、下方にずれ落ち難い。
【００７１】
このおむつアウター４０の使用方法を説明する。まず、おむつを装着した後、おむつアウター４０を着用者の背側に配置し、ベルト４４を着用者の腰回りに巻きつける。そして、接続部４５を他端４４ｂに接続することで、ベルト４４を位置決めする。
続いて、おむつアウター４０の前端側を、股間を通して着用者の腹側に、インナーシール部４２，４３を引延ばしながら（インナーシール部を臀部に密接させながら）前記係止部４６，４６をベルト４４に係止させる。これにより、おむつアウターを装着することができる。
【００７２】
このようなおむつアウター４４にあっては、シート４１の長手方向の両側部にインナーシール部４２，４３が設けられているため、前記おむつアウター装着時、インナーシール部４２，４３は臀部Ｘに密接する。その結果、おむつアウター両側部からの排泄物の漏出をより抑制できる。
【００７３】
尚、上記第５の実施形態においては、シートの両側部の長手方向にインナーシール部を設けたおむつアウターについて説明したが、図９、１２に示す場合と同様に、シートの両側部の長手方向にギャザー部を延設し、前記ギャザー部の側部の長手方向に、長手方向に伸縮可能なインナーシール部を延設したおむつアウターであっても良い。
具体的には、液不透過性のシートと、前記シートの一端が固定されたベルトと、前記ベルトの一端に形成され、他端側のベルトと接続される接続部と、前記シートの両側部の長手方向に延設されたギャザー部と、前記ギャザー部の側部の長手方向に延設された長手方向に伸縮可能なインナーシール部と、前記インナーシール部の前端部のトップシート側に設けられた前記ベルトに係止される係止部とを備えるおむつアウターであることが望ましい。
【００７４】
また、上記第１乃至第５の実施形態において、インナーシール部５，６、１１,１２、２６，２７、３４，３５、４２，４３の後端部側はベルト７、４４側に固定されていたが、図１６に示すようにインナーシール部の後端部側にも、前端部の係止部５ｃ,６ｃ、１３、４６と同様な係止部５０を設け、前記ベルト７、４４に着脱自在に固定しても良い。
【図１】
0005460704.tif 000002
【図２】
0005460704.tif 000003
【図３】
0005460704.tif 000004
【図４】
0005460704.tif 000005
【図５】
0005460704.tif 000006
【図６】
0005460704.tif 000007
【図７】
0005460704.tif 000008
【図８】
0005460704.tif 000009
【図９】
0005460704.tif 000010
【図１０】
0005460704.tif 000011
【図１１】
0005460704.tif 000012
【図１２】
0005460704.tif 000013
【図１３】
0005460704.tif 000014
【図１４】
0005460704.tif 000015
【図１５】
0005460704.tif 000016
【図１６】
0005460704.tif 000017
【図１７】
0005460704.tif 000018
【図１８】
0005460704.tif 000019
【図１９】
0005460704.tif 000020
【図２０】
0005460704.tif 000021
【図２１】
0005460704.tif 000022